(57)【要約】      （修正有）【課題】外周面が凹凸な形態の管同士の連結や、外周面が凹凸な形態の管と外周面が平滑な形態の管との連結などを可能にする管継手を提供する。【解決手段】管継手１は、拡縮する略円筒状のケーシング２と、このケーシング２の内面に倣った円筒状に保持されて、ケーシング２の拡縮に追従して拡縮し、かつ、ケーシング２の縮径により内周面が管Ｘ，Ｙの外周面に弾性密着する弾性スリーブ３と、ケーシング２を拡縮させる拡縮手段とを備えている。そして、弾性スリーブ３の内周面には、管Ｘ，Ｙの外周面に備わっているスパイラル突条１０が嵌合して弾性密着可能なスパイラル溝３０、３０を具備している。【選択図】図４
0003169970.tif 000002
【実用新案登録請求の範囲】
【請求項１】
円周方向両端部の離間・接近で拡縮する略円筒状のケーシングと、このケーシングの内面に倣った円筒状に保持されて該ケーシングの内部に装備されるとともに、ケーシングの拡縮に追従して拡縮し、かつ、ケーシングの縮径により内周面が管の外周面に弾性密着する弾性スリーブと、前記ケーシングの円周方向両端部を離間または接近させて該ケーシングを拡縮させる拡縮手段とを備えた管継手において、
前記弾性スリーブの内周面には、管の外周面に備わっているスパイラル突条が嵌合して弾性密着可能なスパイラル溝を具備してなることを特徴とする管継手。
【請求項２】
請求項１に記載した管継手において、
前記弾性スリーブ内周面の軸方向両端から軸方向の中央部にかけて前記スパイラル溝が互いに反対まわりのスパイラルで備わっている管継手。
【請求項３】
請求項１に記載した管継手において、
前記弾性スリーブ内周面の軸方向一端から軸方向の中央部にかけて、前記スパイラル溝が備わっているとともに、弾性スリーブ内周面の軸方向他端部に、管の平滑な外周面に弾性密着可能な環状舌片を備えてなる管継手。
【考案の詳細な説明】
【技術分野】
【０００１】
本考案は管継手に係り、より詳しくは、互いに連結される管端部の外周面あるいは管の損傷箇所およびその近傍の外周に弾性密着して流体の漏洩を防止する機能を備えた管継手に関する。
【背景技術】
【０００２】
管の連結に用いられる管継手では、フランジ構造、ソケット構造、ユニオン構造、ウエルディング構造などが一般的である。
【０００３】
前記フランジ構造の管継手は、各管の端部にフランジを溶接する工程が必要であり、ソケット構造やユニオン構造の管継手は、管の端部にねじを形成する工程が必要であるなど、管自体に加工を施さねばならず、その作業が煩雑であるばかりか、現場での即座の対応が困難である。また、ウエルディング構造の管継手は、材質上の制限があるため、適用範囲が制約される上に、溶接部分からの流体漏れが懸念されるなどの問題点を有している。しかも、ウエルディング構造以外の管継手では管の損傷箇所の修復機能を全く有していない。
【０００４】
そこで、前記フランジ構造、ソケット構造、ユニオン構造、ウエルディング構造などからなる管継手の問題点を解決したものとして、円周方向両端部の離間・接近で拡縮する略円筒状の金属製ケーシングと、このケーシングの内面に倣った円筒状に保持されて該ケーシングの内部に装備されるとともに、ケーシングの縮径に追従して内周面が管の外周面に弾性密着する弾性スリーブと、前記ケーシングの円周方向両端部を離間または接近させて該ケーシングを拡縮させる拡縮手段とを備えた管継手が提供されている（たとえば、特許文献１参照）。
【０００５】
前記特許文献１に記載の管継手において、二本の管端部を互いに連結する手順について説明する。第１の手順は、まず、拡縮手段の拡径操作および指先による金属製ケーシングの円周方向両端部の引き離し操作により金属製ケーシングの円周方向両端部を大きく開放させる。これにより、弾性スリーブは円周方向の突き合わせ端面が大きく離間した状態になるので、突き合わせ端面の間から二本の管の管端部を弾性スリーブ内に押し込んだのち、突き合わせ端面を互いに対向させて各管端部の外周に弾性スリーブを巻回する。ついで、拡縮手段を縮径操作すれば金属製ケーシングの縮径に追従して弾性スリーブは縮径され、その内周面が各管端部の外周面に弾性密着した流体漏れのない高い封止性を有する状態で各管端部を互いに連結することができる。
【０００６】
前記第１の手順によれば、金属製ケーシングの円周方向両端部を大きく開放させて、弾性スリーブの円周方向の突き合わせ端面を大きく離間させた状態で、突き合わせ端面の間から管の損傷箇所およびその近傍を弾性スリーブ内に押し込んだのち、突き合わせ端面を互いに対向させて管の損傷箇所およびその近傍の外周に弾性スリーブを巻回し、ついで、拡縮手段を縮径操作すれば、弾性スリーブの内周面が管の損傷箇所およびその近傍の外周面に弾性密着して、流体漏れのない高い封止性を有する状態で管の損傷箇所を修復することもできる。
【０００７】
一方、第２の手順は、拡縮手段の拡径操作により金属製ケーシングの円周方向両端部を離間させて、金属製ケーシングを少し拡径させ、この拡径に追従して弾性スリーブを少し拡径させたのち、金属製ケーシングおよび弾性スリーブの軸方向両端の開口部から弾性スリーブ内に二本の管の管端部を挿入し、ついで、拡縮手段を縮径操作すれば金属製ケーシングの縮径に追従して弾性スリーブは縮径され、その内周面が各管端部の外周面に弾性密着した流体漏れのない高い封止性を有する状態で各管端部を互いに連結することができる。
【先行技術文献】
【特許文献】
【０００８】
【特許文献１】実用新案登録第３０１８８７６号公報
【考案の概要】
【考案が解決しようとする課題】
【０００９】
ところが、前記特許文献１に記載されている管継手では、連結可能な管は、その外周面が平滑な形態の管のみに制限され、外周面にスパイラル突条が備わっているような、外周面が凹凸な形態の管同士の連結や、外周面が凹凸な形態の管と外周面が平滑な形態の管との連結が不可能である問題点を有している。
【００１０】
本考案は上記の実情に鑑みてなされたものであって、外周面が凹凸な形態の管同士の連結や、外周面が凹凸な形態の管と外周面が平滑な形態の管との連結などを可能にすることで、管外周面の形態によって生じていた連結制限を解消した管継手の提供を目的とするものである。
【課題を解決するための手段】
【００１１】
前記目的を達成するために、本考案に係る管継手は、円周方向両端部の離間・接近で拡縮する略円筒状のケーシングと、このケーシングの内面に倣った円筒状に保持されて該ケーシングの内部に装備されるとともに、ケーシングの拡縮に追従して拡縮し、かつ、ケーシングの縮径により内周面が管の外周面に弾性密着する弾性スリーブと、前記ケーシングの円周方向両端部を離間または接近させて該ケーシングを拡縮させる拡縮手段とを備えた管継手において、
前記弾性スリーブの内周面には、管の外周面に備わっているスパイラル突条が嵌合して弾性密着可能なスパイラル溝を具備してなることを特徴としている。
【００１２】
前記構成の管継手によれば、拡縮手段の拡径操作によりケーシングの円周方向両端部を離間させて、該ケーシングを少し拡径させ、この拡径に追従して弾性スリーブを少し拡径させたのち、ケーシングおよび弾性スリーブの軸方向両端の開口側で、弾性スリーブにおけるスパイラル溝の始端に各管の外周面に備わっているスパイラル突条の始端を対応させて、各管を軸回りに回転させると、各管は、スパイラル溝に沿って螺進して、それぞれの管端部が弾性スリーブに螺挿される。この状態で、拡縮手段を縮径操作すればケーシングの縮径に追従して弾性スリーブは縮径され、その内周面が各管端部の外周面に弾性密着した状態、つまり、弾性スリーブのスパイラル溝に各管端部の外周面に備わっているスパイラル突条が嵌合して弾性密着した流体漏れのない高い封止性を有する状態で、外周面が凹凸な形態の各管の管端部を互いに連結することができる。
【００１３】
また、拡縮手段の拡径操作によって、ケーシングの円周方向両端部を大きく開放させて、弾性スリーブの円周方向の突き合わせ端面を大きく離間させた状態で、突き合わせ端面の間から各管の管端部を弾性スリーブ内に押し込み、かつ、弾性スリーブのスパイラル溝に各管端部のスパイラル突条を嵌合したのち、突き合わせ端面を互いに対向させて各管端部の外周に弾性スリーブを巻回し、ついで、拡縮手段を縮径操作すれば、弾性スリーブの内周面が各管端部の外周面に弾性密着した状態、つまり、弾性スリーブのスパイラル溝に各管端部の外周面に備わっているスパイラル突条が嵌合して弾性密着した流体漏れのない高い封止性を有する状態で、外周面が凹凸な形態の各管の管端部を互いに連結することができる。
【００１４】
さらに、外周面にスパイラル突条が備わっている外周面が凹凸な形態の管が損傷した場合には、スパイラル突条のスパイラル方向に合致するスパイラル方向のスパイラル溝を、軸方向の一端から他端にかけて有する弾性スリーブが備わっている管継手を用意し、拡縮手段の拡径操作によって、ケーシングの円周方向両端部を大きく開放させて、弾性スリーブの円周方向の突き合わせ端面を大きく離間させた状態で、突き合わせ端面の間から管の損傷箇所およびその近傍を弾性スリーブ内に押し込み、かつ、弾性スリーブのスパイラル溝に管のスパイラル突条を嵌合したのち、突き合わせ端面を互いに対向させて管の損傷箇所およびその近傍の外周に弾性スリーブを巻回し、ついで、拡縮手段を縮径操作すれば、弾性スリーブの内周面が管の損傷箇所およびその近傍の外周面に弾性密着して、流体漏れのない高い封止性を有する状態で管の損傷箇所を修復することもできる。
【００１５】
本考案に係る管継手は、前記弾性スリーブ内周面の軸方向両端から軸方向の中央部にかけて前記スパイラル溝が互いに反対まわりで備わっている。
【００１６】
これによると、拡縮手段の拡径操作によりケーシングの円周方向両端部を離間させて、ケーシングを少し拡径させ、この拡径に追従して弾性スリーブを少し拡径させたのち、ケーシングおよび弾性スリーブの軸方向一端の開口から、弾性スリーブにおけるスパイラル溝の始端に一方の管の外周面に備わっているスパイラル突条の始端を対応させた状態で、該一方の管を、その軸回りに回転させると、一方の管は、その先端が弾性スリーブの軸方向の中央部に到達する時点までスパイラル溝に沿って螺進して、その管端部が弾性スリーブに螺挿される。また、ケーシングおよび弾性スリーブの軸方向他端の開口から、弾性スリーブにおけるスパイラル溝の始端に他方の管の外周面に備わっているスパイラル突条の始端を対応させた状態で、該他方の管を、その軸回りに回転させると、他方の管は、その先端が弾性スリーブの軸方向の中央部に到達する時点までスパイラル溝に沿って螺進して、その管端部が弾性スリーブに螺挿される。この状態で、拡縮手段を縮径操作すればケーシングの縮径に追従して弾性スリーブは縮径され、その内周面が各管端部の外周面に弾性密着した状態、つまり、弾性スリーブ内に各管端部が均等な嵌合代で嵌合して弾性密着した流体漏れのない高い封止性を有する状態で、外周面が凹凸な形態の各管の管端部を互いに連結することができる。
【００１７】
本考案に係る管継手は、前記弾性スリーブ内周面の軸方向一端から軸方向の中央部にかけて、前記スパイラル溝が備わっているとともに、弾性スリーブ内周面の軸方向他端部に、管の平滑な外周面に弾性密着可能な環状舌片を備えている。
【００１８】
これによると、拡縮手段の拡径操作によりケーシングの円周方向両端部を離間させて、ケーシングを少し拡径させ、この拡径に追従して弾性スリーブを少し拡径させたのち、弾性スリーブの軸方向一端の開口から、弾性スリーブにおけるスパイラル溝の始端に外周面が凹凸な形態の一方の管に備わっているスパイラル突条の始端を対応させた状態で、該一方の管を、その軸回りに回転させると、一方の管は、その先端が弾性スリーブの軸方向の中央部に到達する時点までスパイラル溝に沿って螺進して、その管端部が弾性スリーブに螺挿される。また、ケーシングおよび弾性スリーブの軸方向他端の開口から、弾性スリーブ内に外周面が平滑な形態の他方の管の管端部を挿入し、この状態で、拡縮手段を縮径操作すれば、ケーシングの縮径に追従して弾性スリーブは縮径され、スパイラル溝に一方の管の外周面に備わっているスパイラル突条が嵌合して弾性密着した状態になるとともに、環状舌片が他方の管の平滑な外周面に弾性密着した状態、つまり、弾性スリーブに各管端部が弾性密着した流体漏れのない高い封止性を有する状態で、外周面が凹凸な形態の管と外周面が平滑な形態の管との各管端部を互いに連結することができる。
【考案の効果】
【００１９】
本考案に係る管継手は、外周面が凹凸な形態の管同士の連結や、外周面が凹凸な形態の管と外周面が平滑な形態の管との連結などが可能であるので、管外周面の形態によって生じていた連結制限を解消することができる。
【図面の簡単な説明】
【００２０】
【図１】本考案に係る管継手の一実施形態を示す分解斜視図である。
【図２】本考案に係る管継手の一実施形態を示す正面図である。
【図３】ケーシングの円周方向両端部に備わる拡縮手段の一実施形態を示す拡大断面図である。
【図４】管端部連結状態の一実施形態を一部断面にて示す概略平面図である。
【図５】管の損傷箇所修復状態の一例を一部断面にて示す概略平面図である。
【図６】管端部連結状態の他の実施形態を一部断面にて示す概略平面図である。
【図７】図４の管端部連結状態の変形例を一部断面にて示す概略平面図である。
【図８】図６の管端部連結状態の変形例を一部断面にて示す概略平面図である。
【図９】ケーシングの変形例を示す正面図である。
【考案を実施するための形態】
【実施例】
【００２１】
以下、本考案に係る管継手の好ましい実施形態を図面に基づいて説明する。
図１は本考案に係る管継手の一実施形態を示す分解斜視図、図２は本考案に係る管継手の一実施形態を示す正面図、図３はケーシングの円周方向両端部に備わる拡縮手段の一実施形態を示す拡大断面図である。
【００２２】
図１、図２、図３において、管継手１は、略円筒状の金属製ケーシング２と、このケーシング２の内面に倣った円筒状に保持されて該ケーシング２の内部に装備される合成ゴムなどの弾性材料からなり、かつ、ケーシング２の縮径に追従して管の外周面に弾性密着する弾性スリーブ３と、金属製ケーシング２の円周方向両端部２０，２１を離間または接近させて該ケーシング２を拡縮させる拡縮手段４とを備える。
【００２３】
金属製ケーシング２は、一方の半円弧状部材２Ａと、他方の半円弧状部材２Ｂとを備え、各半円弧状部材２Ａ，２Ｂの基端部は、ヒンジピン５を介して該ヒンジピン５の軸回りに回動自在にヒンジ結合されているとともに、円周方向両端部２０，２１を円周方向で互いに対向させることにより略円筒状の形態に保持される。円周方向両端部２０，２１は、カーリング加工によって外向むきで、かつ、互いに離間する方向に湾曲させることで、断面略円形の抱持部２０ａ，２１ａを備えた形状になっている。また、各半円弧状部材２Ａ，２Ｂの軸方向両端部には、径方向内側に向けて折り曲げた掛止部２２が形成されている。
【００２４】
弾性スリーブ３は、ゴムなどの弾性材料からなる厚肉シート状のもので、ケーシング２の内面に倣って、その先端部を突き合わせることで円筒状に保持されて該ケーシング２の内部に装備される。そして、弾性スリーブ３の内周面には、図４に示すように、軸方向両端３ａ，３ｂから軸方向の中央部に径内方向に少し張り出して設けたリブ３ｃにかけて、一方のスパイラル溝３０と、他方のスパイラル溝３１とが互いに反対まわりで備わっている。すなわち、一方のスパイラル溝３０は、筒状弾性スリーブ３の軸方向一端３ａ側から見て右まわりのスパイラルを呈して一端３ａからリブ３ｃにかけて備わり、他方のスパイラル溝３１は、筒状弾性スリーブ３の軸方向他端３ｂ側から見て右まわりスパイラルを呈して他端３ｂからリブ３ｃにかけて備わっている。
【００２５】
拡縮手段４は、一方の略円形の抱持部２０ａに挿通して抱持される棒状ワッシャ４０と、他方の略円形の抱持部２１ａに挿通して抱持される棒状ナット４１と、一対のボルト４２，４２とを備え、各ボルト４２，４２は、一方の略円形の抱持部２０ａに設けた一対の切欠き２３を通して、棒状ワッシャ４０に貫通形成されている一対の横断ボルト孔４０ａ（図３参照、ただし、図３には一つの横断ボルト孔４０ａのみが示されている。）を貫通し、かつ、その先端部を棒状ナット４１に設けた一対の横断ねじ孔４１ａ（図３参照、ただし、図３には一つの横断ねじ孔４１ａのみが示されている。）に螺挿し、さらに他方の略円形の抱持部２１ａに設けた一対の切欠き２４から外部に突出させてある。したがって、一対のボルト４２，４２を緩めることでケーシング２および弾性スリーブ３は拡径し、一対のボルト４２，４２を締め付けることでケーシング２および弾性スリーブ３は縮径する。また、各ボルト４２，４２を抜き取ることで、ケーシング２の円周方向両端部２０，２１を大きく開放させて、弾性スリーブ３の円周方向の突き合わせ端面を大きく離間させることができる。
【００２６】
金属製ケーシング２における一方の半円弧状部材２Ａの基端部側の内周面には、一方の半円弧状部材２Ａの内周と略同じ曲率で湾曲する金属製の保護板６の一端が固着されており、ケーシング２の組立時に、ヒンジピン５を介してヒンジ結合されているケーシング２の基端部側を、該ケーシング２の内周側より被覆して保護する。また、保護板６の軸方向両端部には、径方向内側に向けて折り曲げた掛止部６ａ，６ａが形成されている。
【００２７】
金属製ケーシング２における他方の半円弧状部材２Ｂの先端部側の内周面には、他方の半円弧状部材２Ｂの内周と略同じ曲率で湾曲するスライド板７の一端が固着されており、ケーシング２の組立時に、ケーシング２の円周方向両端部２０，２１を、該ケーシング２の内周側より被覆しており、その他端部側は、ケーシング２の拡縮に伴って、一方の半円弧状部材２Ａの内周と摺動するようになっている。また、スライド板７の軸方向両端部には、径方向内側に向けて折り曲げた掛止部７ａ，７ａが形成されている。
【００２８】
つぎに、図４に示すように、前記構成の管継手１によって、外周面が凹凸な形態の一方の管Ｘと、外周面が凹凸な形態の他方の管Ｙの管端部を互いに連結する手順の一例について説明する。なお、各管Ｘ，Ｙは、たとえば、スパイラル状の硬質ＰＶＣ製の線材ａが管本体ｂを構成している軟質ＰＶＣに被覆されて外周部に配されることで、外周面に右回りのスパイラル突条１０が備わっているとともに、補強繊維ｃを管本体ｂに埋設してなるもので、その外周面が凹凸な形態を呈している。なお、図４において、図１〜図３と同一部分には同一符号を付して、重複する説明は省略する。
【００２９】
図１，図２，図３および図４において、拡縮手段４の拡径操作により、つまり、一対のボルト４２，４２を緩める操作により、金属製ケーシング２の円周方向両端部２０，２１を離間させて、該ケーシング２を少し拡径させ、この拡径に追従して弾性スリーブ３を少し拡径させる。その後、弾性スリーブ３の軸方向一端３ａ（図４の右端）の開口から、弾性スリーブに３おける一方のスパイラル溝３０の始端３０ａに一方の管Ｘの外周面に備わっているスパイラル突条１０の始端１０ａを対応させた状態で、該一方の管Ｘを、その軸回り（円周方向）で右回転させると、一方の管Ｘは、その先端がリブ３ｃに当接するまでスパイラル溝３０に沿って螺進して、管端部が弾性スリーブ３に螺挿される。また、弾性スリーブ３の軸方向他端３ｂ（図４の左端）の開口から、弾性スリーブ３における他方のスパイラル溝３１の始端３１ａに他方の管Ｙの外周面に備わっているスパイラル突条１０の始端１０ａを対応させた状態で、該他方の管Ｙを、その軸回り（円周方向）で右回転させると、他方の管Ｙは、その先端がリブ３ｃに当接するまで他方のスパイラル溝３１に沿って螺進して、その管端部が弾性スリーブ３に螺挿される。
【００３０】
この状態で、拡縮手段４を縮径操作すれば、つまり、一対のボルト４２，４２を締め込めば、金属製ケーシング２の縮径に追従して弾性スリーブ３は縮径され、その内周面が各管Ｘ，Ｙにおける管端部の外周面に弾性密着する。詳しくは、弾性スリーブ３の一方のスパイラル溝３０に管Ｘの外周面に備わっているスパイラル突条１０が嵌合して弾性密着するとともに、弾性スリーブ３の他方のスパイラル溝３１に管Ｙの外周面に備わっているスパイラル突条１０が嵌合して弾性密着した状態、つまり、弾性スリーブ３内に各管Ｘ，Ｙそれぞれの管端部が均等な嵌合代で嵌合して弾性密着した流体漏れのない高い封止性を有する状態で、外周面が凹凸な形態の各管Ｘ，Ｙの管端部を互いに連結することができる。
【００３１】
一方、拡縮手段４の拡径操作により一対のボルト４２，４２を抜き取って、金属製ケーシング２の円周方向両端部２０，２１を大きく開放させて、弾性スリーブ３の円周方向の突き合わせ端面を大きく離間させた状態で、突き合わせ端面の間から各管Ｘ．Ｙの管端部を弾性スリーブ３内に押し込み、かつ、弾性スリーブ３のスパイラル溝３０，３１に各管Ｘ．Ｙの管端部のスパイラル突条１０を嵌合したのち、突き合わせ端面を互いに対向させて各管端部の外周に弾性スリーブ３を巻回し、ついで、拡縮手段４を縮径操作することによっても、弾性スリーブ３の内周面が各管Ｘ．Ｙの管端部の外周面に弾性密着した状態、つまり、弾性スリーブ３内に各管Ｘ，Ｙそれぞれの管端部が均等な嵌合代で嵌合して弾性密着した流体漏れのない高い封止性を有する状態で、外周面が凹凸な形態の各管Ｘ，Ｙの管端部を互いに連結することができる。
【００３２】
他方、図５に示すように、外周面にスパイラル突条１０が備わっている外周面が凹凸な形態の管ＸまたはＹが損傷１２した場合には、管ＸまたはＹのスパイラル突条１０のスパイラル方向に合致するスパイラル方向のスパイラル溝３０のみを軸方向の一端３ａから他端３ｂにかけて有する弾性スリーブ３を備えた管継手１を用意し、拡縮手段４の拡径操作によって、金属製ケーシング２の円周方向両端部２０，２１を大きく開放させて、弾性スリーブ３の円周方向の突き合わせ端面を大きく離間させた状態で、突き合わせ端面の間から管ＸまたはＹの損傷１２箇所およびその近傍を弾性スリーブ３内に押し込み、かつ、弾性スリーブ３の前記スパイラル溝３０に管のスパイラル突条を嵌合したのち、突き合わせ端面を互いに対向させて管ＸまたはＹの損傷１２箇所およびその近傍の外周に弾性スリーブ３を巻回し、ついで、拡縮手段４を縮径操作すれば、弾性スリーブ３の内周面が管ＸまたはＹの損傷１２箇所およびその近傍の外周面に弾性密着して、流体漏れのない高い封止性を有する状態で、管ＸまたはＹの損傷１２を修復することもできる。
【００３３】
図６に示す管継手１は、弾性スリーブ３の内周面に、軸方向一端３ａから軸方向の中央部に径内方向に少し張り出して設けたリブ３ｃにかけて、図４の一方のスパイラル溝３０と同じ一方のスパイラル溝３０が備わっているとともに、弾性スリーブ３内周面の軸方向他端部には、後述する管の平滑な外周面に弾性密着可能な環状舌片３２を備えている。
【００３４】
図６に示した構成の管継手１によって、図４で説明した一方の管Ｘと同じ構造の外周面が凹凸な形態の一方の管Ｘと、外周面が平滑な形態の他方の管Ｚの管端部を互いに連結する連結手順の一例について説明する。なお、図６において、図１〜図４と同一部分には同一符号を付して、重複する説明は省略する。
【００３５】
図１，図２，図３および図６において、拡縮手段４の拡径操作により、つまり、一対のボルト４２，４２を緩める操作を行うことにより、金属製ケーシング２の円周方向両端部２０，２１を離間させて、該ケーシング２を少し拡径させ、この拡径に追従して弾性スリーブ３を少し拡径させる。その後、弾性スリーブ３の軸方向一端３ａ（図６の右端）の開口部から、弾性スリーブに３おける一方のスパイラル溝３０の始端３０ａに一方の管Ｘの外周面に備わっているスパイラル突条１０の始端１０ａを対応させた状態で、該一方の管Ｘを、その軸回り（円周方向）で右回転させると、一方の管Ｘは、その先端がリブ３ｃに当接するまでスパイラル溝３０に沿って螺進して、管端部が弾性スリーブ３に螺挿される。また、弾性スリーブ３の軸方向他端３ｂ（図６の左端）の開口部から、弾性スリーブ３内に外周面が平滑な形態の他方の管Ｚを挿入する。
【００３６】
この状態で、拡縮手段４を縮径操作すれば、つまり、一対のボルト４２，４２を締め込めば、金属製ケーシング２の縮径に追従して弾性スリーブ３は縮径され、スパイラル溝３０に一方の管Ｘの外周面に備わっているスパイラル突条１０が嵌合して弾性密着した状態になるとともに、環状舌片３２が他方の管Ｚの平滑な外周面に弾性密着した状態、つまり、弾性スリーブ３に各管Ｘ，Ｚの管端部が弾性密着した流体漏れのない高い封止性を有する状態で、外周面が凹凸な形態の管Ｘと外周面が平滑な形態の管Ｚとの各管端部を互いに連結することができる。なお、図６に示すように、外周面が平滑な形態の管Ｚが連結される側の金属製ケーシング２における掛止部２２内面と弾性スリーブ３の軸方向他端３ｂとの間に、公知の締結リング１４およびリング１５が介装される。
【００３７】
一方、拡縮手段４の拡径操作により一対のボルト４２，４２を抜き取って、金属製ケーシング２の円周方向両端部２０，２１を大きく開放させて、弾性スリーブ３の円周方向の突き合わせ端面を大きく離間させた状態で、突き合わせ端面の間から各管Ｘ．Ｚの管端部を弾性スリーブ３内に押し込み、弾性スリーブ３のスパイラル溝３０に管Ｘ管端部のスパイラル突条１０を嵌合し，かつ、弾性スリーブ３の環状舌片３２内に管Ｚの管端部を嵌合したのち、弾性スリーブ３の突き合わせ端面を互いに対向させて各管Ｘ，Ｚの管端部の外周に弾性スリーブ３を巻回し、ついで、拡縮手段４を縮径操作することによっても、弾性スリーブ３のスパイラル溝３０に一方の管Ｘの外周面に備わっているスパイラル突条１０が嵌合して弾性密着した状態になるとともに、環状舌片３２が他方の管Ｚの平滑な外周面に弾性密着した状態、つまり、弾性スリーブ３に各管Ｘ，Ｚの管端部が弾性密着した流体漏れのない高い封止性を有する状態で、外周面が凹凸な形態の管Ｘと外周面が平滑な形態の管Ｚとの各管端部を互いに連結することができる。
【００３８】
図７に示すように、一方の管Ｘと他方の管Ｙそれぞれの管端部に、予め金属製のフランジ付き補強スリーブ１１を嵌入固定しておけば、補強スリーブ１１保有の高い剛性によって、各管Ｘ，Ｙにおける管端部の耐縮径強度を高めることができるので、拡縮手段４の縮径操作で金属製ケーシング２の縮径に追従して弾性スリーブ３が縮径しても、この弾性スリーブ３の縮径に伴う各管Ｘ，Ｙの管端部の縮径を回避できる。そのため、弾性スリーブ３のスパイラル溝３０に対して各管Ｘ，Ｙのスパイラル突条１０を強力に弾性密着させて、管継手１の流体封止性をさらに高めることが可能となる。
【００３９】
また、図８に示すように、一方の管Ｘの管端部に、予め金属製のフランジ付き補強スリーブ１１を嵌入固定しておけば、前述の理由により、弾性スリーブ３のスパイラル溝３０に対して管Ｘのスパイラル突条１０を強力に弾性密着させて、管継手１の流体封止性をさらに高めることが可能となる。
【００４０】
前記実施形態で説明した金属製ケーシング２は、各半円弧状部材２Ａ，２Ｂの基端部をヒンジピン５の軸回りに回動自在にヒンジ結合した構成で説明しているが、図９に示すように、１枚の金属板を曲げ加工によって略円筒状に形成し、この金属製ケーシング２の軸方向両端部に形成した掛止部２２に１または複数の切欠き１３を形成しても、拡縮手段４の拡縮操作によって金属製ケーシング２を拡縮することが可能である。なお、図９において、図２と同一部分には同一符号を付して、重複する説明は省略する。
【産業上の利用可能性】
【００４１】
各種流体移送用の外周面が凹凸な形態の管同士の連結や、外周面が凹凸な形態の管と外周面が平滑な形態の管との連結に使用される。
【符号の説明】
【００４２】
１  管継手
２  ケーシング
３  弾性スリーブ
３ａ  弾性スリーブの軸方向一端
３ｂ  弾性スリーブの軸方向他端
３ｃ  リブ（弾性スリーブの軸方向中央部）
４  拡縮手段
１０  スパイラル突条
２０  ケーシングの円周方向一端部
２１  ケーシングの円周方向他端部
３０  一方のスパイラル溝
３１  他方のスパイラル溝
３２  環状舌片
Ｘ  外周面が凹凸な形態の一方の管
Ｙ  外周面が凹凸な形態の他方の管
Ｚ  外周面が平滑な管
【図１】
0003169970.tif 000003
【図２】
0003169970.tif 000004
【図３】
0003169970.tif 000005
【図４】
0003169970.tif 000006
【図５】
0003169970.tif 000007
【図６】
0003169970.tif 000008
【図７】
0003169970.tif 000009
【図８】
0003169970.tif 000010
【図９】
0003169970.tif 000011